(57)【要約】【課題】  サイズや規格が異なる太陽電池等の太陽エネルギー変換モジュールに対応する外装材一体型太陽エネルギー変換装置及び外装構造を提供する。【解決手段】  外装材２の面板部２１に太陽エネルギー変換モジュール３を一体的に備える外装材一体型太陽エネルギー変換装置１において、面板部２１の棟端及び軒端に相互に係合又は重合する棟側成形部２３及び軒側成形部２２を設けると共に、外装材２の軒棟方向の幅が、太陽エネルギー変換モジュール３の幅に合わせて設定、成形される。【選択図】  図１
2005226362.tif 000002
【特許請求の範囲】
【請求項１】
外装材の面板部に太陽エネルギー変換モジュールを一体的に備える外装材一体型太陽エネルギー変換装置において、
面板部の棟端及び軒端に相互に係合又は重合する棟側成形部及び軒側成形部を設けると共に、外装材の軒棟方向の幅が、太陽エネルギー変換モジュールの幅に合わせて設定、成形されることを特徴とする外装材一体型太陽エネルギー変換装置。
【請求項２】
棟側成形部及び軒側成形部を少なくとも一方に段部を介して設けると共に、段部の位置が太陽エネルギー変換モジュールの幅に合わせて設定、成形されることを特徴とする請求項１記載の外装材一体型太陽エネルギー変換装置。
【請求項３】
段部の上部は、太陽エネルギー変換モジュールの表面と略同一面となることを特徴とする請求項１又は２に記載の外装材一体型太陽エネルギー変換装置。
【請求項４】
請求項１〜３の何れか一項に記載の外装材一体型太陽エネルギー変換装置を敷設してなることを特徴とする外装構造。
【発明の詳細な説明】
【技術分野】
【０００１】
本発明は、サイズや規格が異なる太陽電池等の太陽エネルギー変換モジュールに対応する外装材一体型太陽エネルギー変換装置及び外装構造に関する。
【背景技術】
【０００２】
光エネルギーを電気エネルギーに変換する太陽光発電は、クリーンエネルギーを得る手段として幅広い利用が期待され、近年、建築物の屋根、壁等に適用されるようになり、生活に必要な電力を補うシステムとして実用化されている。
例えば、太陽エネルギー変換モジュールを屋根と一体的に設置するものとして、特許文献１に記載されるような太陽電池付屋根瓦がある。
特許文献１は、屋根瓦本体の表面に設けられた凹部の中に太陽電池構造体を嵌め込むように挿入した太陽電池付き屋根瓦に関する提案である。そのため、太陽電池構造体は、凹部内に嵌合状に配設されることになり、太陽電池構造体のズレや剥離が防止され、その周縁部も保護されるものとなる。
【特許文献１】特開２０００−２２６９０９公報
【発明の開示】
【発明が解決しようとする課題】
【０００３】
しかしながら、太陽電池等の太陽エネルギー変換モジュールは、各メーカーによってサイズや規格が統一されておらず、また、モジュールは各ユーザーが選択するため、前記特許文献１においては、太陽電池構造体を挿入するための凹部を、使用する太陽電池構造体のサイズに応じて変更する必要があった。そのため、このような太陽電池付き屋根瓦は極めて高価なものとなり、屋根面の施工に多額の費用が必要であった。
屋根瓦に限らずその他の外装材においても同様であって、外装材の表面にモジュールを挿入するための凹部を形成しようとすると、各社各様のモジュールサイズの違いに対応させるために多額の設備費用が必要であった。尚、太陽光発電を効率よく行うためには、屋根面に対して可及的に広くモジュールを取り付ける必要がある。
また、幾つかの代表的なサイズのモジュールに適応させるために、それらに応じて凹部を大きめに設定して外装材を成形し、モジュールを凹部に挿入した場合に形成される溝に不定形シール材を充填して調整・一体化させる方法も考えられる。しかし、この場合、凹部とモジュールのサイズの差が大きいほど、効率のよい太陽光発電を行うことができないし、凹部を形成した意味（モジュールのズレや剥離の防止効果）が損なわれてしまう。さらに、シール材の充填量が通常より多くなり手間も費用もかかり、意匠的にも見栄えが悪くなり、しかもシール材による目地幅調整が都度変化することは品質低下を招きやすいという懸念もある。尚、見栄えに関してはシール材充填部分を別途カバー材等で覆う方法も考えられるが、カバー材等の分だけ費用が増加してしまうという問題がある。
そこで、本発明者らは、サイズや規格が異なる太陽エネルギー変換モジュールを用いて如何に効率よく太陽光発電を行うことができるかを鋭意検討、研究の末、本発明を見出したものである。
【課題を解決するための手段】
【０００４】
本発明は上記に鑑み提案されたもので、外装材の面板部に太陽エネルギー変換モジュールを一体的に備える外装材一体型太陽エネルギー変換装置において、面板部の棟端及び軒端に相互に係合又は重合する棟側成形部及び軒側成形部を設けると共に、外装材の軒棟方向の幅が、太陽エネルギー変換モジュールの幅に合わせて設定、成形されることを特徴とする外装材一体型太陽エネルギー変換装置及び外装構造に関するものである。
尚、太陽エネルギー変換モジュールの幅に合わせた外装材の幅とは、太陽エネルギー変換モジュールの幅に、シール材を充填するための若干の溝幅を加えた幅（＝モジュール設置部の幅）を面板部に確保するための幅を指す。
【０００５】
即ち太陽エネルギー変換モジュールと組み合わせる外装材として横葺き形式の外装材を用い、外装材の軒棟方向の幅を、モジュール設置部の幅に合わせて設定して成形する。例えば面板部の軒棟方向の幅以外の構成である棟側成形部や軒側成形部などは所定形状に設定しておき、また段部を形成した場合には所定位置に設定しておき、面板部の幅寸法（のみ）を、モジュール設置部の幅に合わせて変更、設定する設計方法が提案される。この場合、面板部（モジュール設置部）の幅は、ロール成形（機）におけるロールスタンドの調整により自在に設定、成形される。
【０００６】
また、前記外装材一体型太陽エネルギー変換装置及び外装構造において、棟側成形部及び軒側成形部を少なくとも一方に段部を介して設けると共に、段部の位置が太陽エネルギー変換モジュールの幅に合わせて設定、成形されるようにしてもよい。尚、太陽エネルギー変換モジュールの幅に合わせた段部の位置とは、太陽エネルギー変換モジュールの幅に、シール材を充填するための若干の溝幅を加えた幅（＝モジュール設置部の幅）を規制するための位置を指す。
例えば後述する図示実施例（図２）に示すように外装材の全体幅は一定でも、段部位置を調整してモジュール設置部の幅を変更、設定する態様（以下、第１の付加態様という）などが含まれる。この態様ではモジュール設置部の幅は面板部の幅とほぼ等しい。
例えば後述する図示実施例（図４）に示すように面板部の幅は一定でも、段部位置を調整してモジュール設置部の幅を変更、設定する態様が含まれる。この態様ではモジュール設置部の幅は面板部の幅と一致しない。
【０００７】
即ち太陽エネルギー変換モジュールと組み合わせる外装材として横葺き形式の外装材を用い、棟側成形部及び軒側成形部の少なくとも一方の面板部側に設ける段部の位置を、モジュール設置部の幅に合わせて設定、成形する。詳しくは段部の位置以外の構成である棟側成形部や軒側成形部などは所定形状に設定しておき、段部の位置を、モジュール設置部の幅に合わせて変更、設定する設計方法を提案する。この場合、段部の位置は、ロール成形（機）のロールスタンドにおける各成形ロールを調整することにより自在に設定、成形される。
【０００８】
尚、上記構成は、概略的に外装材の幅をモジュール設置部の幅に合わせ、さらにモジュール設置部の幅に近似（又は一致）するように段部の位置を調整する方法である。例えば前述のようにモジュール設置部の幅は、太陽エネルギー変換モジュールの幅αに、シール材を充填するための若干の溝幅（β１＋β２）を加えた幅（α＋β１＋β２）を指すが、第一の付加態様では、そのようなモジュール設置部の幅となるように段部位置を調整し、第二の付加態様では面板部の幅は前段階の調整としてモジュール設置部の幅（α＋β１＋β２）より適宜に幅広に（＝概略的に）形成し、段部位置を調整してモジュール設置部の幅を得るようにする点で異なる。
【０００９】
さらに、上記外装材一体型太陽エネルギー変換装置において、段部の上部は、太陽エネルギー変換モジュールの表面と略同一面となることが好ましい。  
【発明の効果】
【００１０】
本発明の外装材一体型太陽エネルギー変換装置は、外装材（特に面板部）の幅調整や段部の位置調整により、サイズや規格の異なる太陽エネルギー変換モジュールを一体化することができる。そのため、新規設備を導入するよりも遙かに低いコストで製造できる。
そして、外装材（面板部）の幅寸法や段部の位置を、使用する太陽エネルギー変換モジュールを設置するための幅（モジュール設置部の幅）に合わせて、ロール成形（機）におけるロールスタンド及び各成形ロールを調整して成形するように設計したので、屋根面に対して広く太陽エネルギー変換モジュールを取り付けることができ、太陽光発電を効率よく行うことができ、意匠的に見栄えのよいものとすることができる。
【００１１】
特に面板部の棟端及び軒端にそれぞれ段部を介して棟側成形部及び軒側成形部を設けるようにした場合、両段部間にモジュール設置部が形成され、該モジュール設置部に太陽エネルギー変換モジュールを嵌め込むように装着することができ、太陽エネルギー変換モジュールの縁部と段部との間に充填するシール材も相俟って太陽エネルギー変換モジュールのズレや剥離が防止され、太陽エネルギー変換モジュールの周縁部も保護されるものとなる。
【００１２】
また、段部の上部を太陽エネルギー変換モジュールの表面と略同一面とした場合、段部が目立たず美観を損なうことがない。
【発明を実施するための最良の形態】
【００１３】
面板部の棟端及び軒端にそれぞれ段部を介して棟側成形部及び軒側成形部を設け、外装材の段部の上部が、太陽エネルギー変換モジュールの表面と略同一面となるように形成する。その設計に際しては、面板部の幅寸法や段部の位置を、モジュール設置部の幅に合わせて、ロール成形（機）におけるロールスタンド及び各成形ロールを調整して成形するように設計する。
【実施例１】
【００１４】
以下、本発明を図示実施例に基づいて説明する。
本発明の外装材一体型太陽エネルギー変換装置１は、外装材２の面板部２１上に太陽電池等の太陽エネルギー変換モジュール３を一体的に備えるが、外装材２は、面板部２１の棟端及び軒端に相互に係合又は重合する棟側成形部２３及び軒側成形部２２を設けた横葺きの外装材であればよい。
尚、図面上では、符号にアルファベットや’記号を付して特定の部材や部位を指し示したが、総括的に説明する場合には符号のみを付して全ての態様を含むものとする。
【００１５】
太陽エネルギー変換モジュール３は、太陽電池，太陽熱温水器等の太陽エネルギー（太陽光、太陽熱）を利用した全ての装置を含むものである。前記太陽電池としては、多結晶，単結晶，アモルファス等、どのようなものを用いてもよい。一般的に太陽電池は、導電性基体、裏面反射層、光電変換部材としての半導体層、透明導電層から構成され、前記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。例えば近年提案された可撓性を有するアモルファスシリコン太陽電池は極めて薄肉で軽量であるため好ましい。
この太陽エネルギー変換モジュール３は、前述のように各メーカーによってサイズや規格が統一されておらず、各社各様の多種類のモジュールサイズが存在する。
【００１６】
本発明では、上述のような多種類の太陽エネルギー変換モジュール３と組み合わせる外装材２として横葺き形式の外装材を用い、外装材２（面板部２１）の軒棟方向の幅を、太陽エネルギー変換モジュール３の幅に合わせて設定して成形する。ここで、太陽エネルギー変換モジュールの幅３に合わせた外装材２の幅とは、太陽エネルギー変換モジュール３の幅（α',α'',α'''）に、シール材４を充填するための若干の溝（溝部２６）幅（軒側β１,棟側β２）を加えたモジュール設置部の幅（α',α'',α'''）＋β１＋β２を面板部２１に確保するための幅を指す。
詳しくは例えば図１に示す実施例のように面板部２１の軒棟方向の幅以外の構成である棟側成形部２３や軒側成形部２２などは所定形状に設定しておき、面板部２１の幅を、モジュール設置部の幅（α',α'',α'''）＋β１＋β２に合わせて変更、設定するように外装材２Ａ〜２Ｃを設計する。
そして、面板部２１の幅は、図示しないが例えば上下一対の成形ロールを有するロールスタンドを所定の幅に移動させておくことにより自在に設定、成形される。
【００１７】
この外装材２は、図示するように段部（棟側段部２５、軒側段部２４）を介して棟側成形部２３及び軒側成形部２２を設けてもよいし、何れか一方のみに段部を設けるようにしてもよい。このような段部２４，２５は、太陽エネルギー変換モジュール３の位置決め、シール材４充填の際のガイド及び受け枠として機能し、傾斜状であっても略鉛直状であってもよく、例えば図示する軒側段部２４のように傾斜状とした場合、シール材４の充填量を削減し、さらに段部２４，２５と太陽エネルギー変換モジュール３との間の溝部２６へシール材４を充填する際に隙間（充填不良）ができにくい。
【００１８】
この外装材２は、前述のように外装材２（面板部２１）の軒棟方向の幅を、太陽エネルギー変換モジュール３の設置部の幅に合わせて設定して成形する以外の構成は特に限定するものではなく、ロール成形により成形される。代表的には概ね０．４〜１．６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。
【００１９】
図示実施例の軒側成形部２２は、軒側段部２４の上部を軒側下方へ傾斜状に折曲した傾斜部２２１の下端を棟側へ折り返し状に延出して上向き傾斜させ、なだらかな山状（山状部分２２２）に屈曲させ、さらに水上側へ延在させて軒側係合部２２３を形成し、さらにその先端を裏面側に折り返した構成とした。
図示実施例の棟側成形部２３は、棟側段部２５から棟側へ延在する端縁を表面側に折り返して軒側へ延在させて溝状の棟側係合部２３１を形成し、続いてその端縁を軒側上方へ延在させ、その上端を折り返し状に屈曲させ、さらにその端縁を軒側下方へなだらかな谷状（谷状部分２３２）に屈曲させ、さらに上向き傾斜する案内部２３３を備える構成とした。そして、図示実施例の外装材２は、軒側成形部２２と棟側成形部２３とが、敷設状態において係合する（軒側係合部２２３と棟側係合部２３１との係合）ばかりでなく、複数箇所でそれぞれが弾性的に当接している構成とした。そのため、図示実施例の外装材外装材２は、複数の弾性的当接によって、より安定且つ強固な係合、抜け止め、雨仕舞性、強固な接合（当接）などの効果が果たされる。
【００２０】
そして、本発明の外装材一体型太陽エネルギー変換装置１は、前述のように外装材２（面板部２１）の軒棟方向の幅を、太陽エネルギー変換モジュール３の設置部の幅に合わせて設定して成形しておき、該面板部２１上に太陽エネルギー変換モジュール３を配して固定したものである。
また、図示実施例の外装材一体型太陽エネルギー変換装置１は、面板部２１の棟端及び軒端にそれぞれ段部（棟側段部２５、軒側段部２４）を形成したので、該段部２４，２５間に太陽エネルギー変換モジュール３を装着し、その長さ方向の対向する側縁と段部２４，２５との間（溝部２６）にシール材４を充填して固定した構成である。
尚、図示実施例のように、棟側の溝部２６に充填されるシール材４が、その上段に葺かれる外装材一体型太陽エネルギー変換装置１（或いは図示しないが通常の外装材）の軒側端部によって隠れるようにすると、意匠的に見栄えがよいものとなる。
また、棟側の溝部２６に充填されるシール４材が、上段に葺かれる外装材一体型太陽エネルギー変換装置１（或いは図示しないが通常の外装材）の軒側端部に隠れないようにした場合、経年変化等によって万が一シール材４に亀裂が入ったりした場合でも補修作業が行いやすい。
【００２１】
用いられるシール材４は、硬化（固化）前には溝部２６内に充填可能な流動性（フロー性）を有するものであって、硬化（固化）後には雨などの浸入を阻止する性質を有するものであるが、特にその材質を限定するものではなく、例えばシリコーンゴム、フッ素系ゴムなどを使用することができる。
【００２２】
また、図示実施例のように段部２４，２５の上部が、太陽エネルギー変換モジュール３の表面と略同一面となるように形成してもよい。即ち太陽エネルギー変換モジュール３の厚みと、段部２４，２５の高さが一致するようにしてもよい。尚、ここで、略同一面とは、外観意匠上あまり目立たない程度の段差がある場合を含むものとする。
【００２３】
図示実施例では、外装材２の面板部２１上に図示しない接着剤層を介して太陽エネルギー変換モジュール３を固定し、固定された太陽エネルギー変換モジュール３の軒縁と軒側段部２４との間の溝部２６、棟縁と棟側段部２５との間の溝部２６に、流動性を持った状態のシール材４を充填する。
【００２４】
このような構成の外装材一体型太陽エネルギー変換装置１は、それのみを敷設して外装構造を施工してもよいし、屋根面の適宜部分に通常の外装材を適宜組み合わせて外装面を施工するようにしてもよい。また、複数の屋根面から構成される屋根では、例えば一屋根面を外装材一体型太陽エネルギー変換装置１にて、別の一屋根面を横葺き外装材にて施工するようにしてもよい。
【００２５】
本発明の外装材一体型太陽エネルギー変換装置１及び外装構造の設計については、まず外装材２として横葺き形式の外装材を用い、その面板部２１の軒棟方向の幅以外の構成、即ち前述の棟側成形部２３、棟側段部２５、軒側成形部２２、軒側段部２４の形状構成、並びにシール材４の充填量を、図示するように全て一定（所定構成）としておく。そのため、設計図面や成形装置などは、面板部２１の幅を除いて全て一定として準備することができる。例えば前述のロール成形（機）においては、上下一対の成形ロールを有するロールスタンドを所定の幅に移動させておき、ロールスタンドにおける各成形ロールの組み合わせは一定として準備することができる。
そして、例えば図示するような３種類の太陽エネルギー変換モジュール３Ａ〜３Ｃに対し、その幅寸法（α',α'',α'''）に合わせて面板部２１のモジュール設置部の軒棟方向の幅寸法を３種類それぞれに対して設定して外装材２Ａ〜２Ｃ（外装材一体型太陽エネルギー変換装置１Ａ〜１Ｃ）を設計する。
【００２６】
このように本発明では、外装材２（面板部２１）の幅調整により、サイズや規格の異なる太陽エネルギー変換モジュール３を一体化することができ、屋根面に対して可及的に広く太陽エネルギー変換モジュール３を取り付けることができ、太陽光発電を効率よく行うことができ、意匠的に見栄えのよいものとすることができる。
【００２７】
図示実施例の外装材一体型太陽エネルギー変換装置１は、段部２４，２５を設けた構成であるため、段部２４，２５がシール材４を充填する際のガイド及び受け枠となる。即ち両段部２４，２５間に太陽エネルギー変換モジュール３を嵌め込むように装着することができ、太陽エネルギー変換モジュール３の縁部と段部２４，２５との間に充填するシール材４も相俟って太陽エネルギー変換モジュール３のズレや剥離が防止され、太陽エネルギー変換モジュール３の周縁部も保護されるものとなる。また、段部２４，２５の高さは均一であるため、シール材４の充填高さが均一となり、また使用量を均一化できる。
そして、上述のようにシール材４の充填が容易になるため、生産性が向上し、オートメーションによる生産も可能になる。また、シール材４の充填高さや使用量が均一になるため、品質等も均一となる。
【００２８】
また、図示実施例の外装材一体型太陽エネルギー変換装置１は、段部２４，２５の上部が、太陽エネルギー変換モジュール３の表面と略同一面となるように形成したので、段部２４，２５の存在が目立たず、美観を損なうことがない。
【００２９】
前記構成の外装材一体型太陽エネルギー変換装置１からなる外装構造は、太陽エネルギー変換モジュール３として太陽電池モジュールを用いた場合では電気配線等の装備を、太陽熱温水器を用いた場合では配管等の設備を適宜に配するが、それ以外については一般的な横葺き外装材と全く同様に施工することができる。
尚、図示実施例では、外装材２の軒端に傾斜部２２１を設け、この傾斜部２２１の下方の延長線上に下段の外装材一体型太陽エネルギー変換装置１の棟側のシール材４が位置するようにしたので、上段側の外装材一体型太陽エネルギー変換装置１によって形成される影の範囲を極力狭くし、下段側の太陽エネルギー変換モジュール３の効率低下を抑制できる。
【００３０】
前述のように従来の太陽電池付屋根瓦等では、屋根瓦本体に凹部を設けて太陽エネルギー変換モジュール３を嵌め込んでいたが、本発明では外装材２の面板部２１の棟側及び軒側に長さ方向に沿って段部２４，２５を設けることにより、従来の凹部とほぼ同様の効果が果たされる。即ち段部２４，２５は横長の太陽エネルギー変換モジュール３の長手方向の縁部である軒棟縁に対してフレーム状に位置し、屋根面において水上、水下側に配置されるため、シール材４の充填と相俟って水流による雨水の浸入に抗し、重力（屋根勾配）によるズレにも抗することができる。これに対し、太陽エネルギー変換モジュール３の桁行き方向の側縁は、加工せずにシール材を施してもよいし、起立部等を設けてシール材を充填してもよい。軒端、棟端に段部、及び桁行き方向側縁に起立部を設けた場合、シール材充填の際のガイド及び受け枠となり、段部や起立部により形成される各溝部が連結するため、溝部へのシール材の充填が容易になると共にシール材の使用量を均一化できる。そのため、生産性を向上する（オートメーションによる生産が可能になる）ことができ、また品質等が均一な外装材一体型太陽エネルギー変換装置を提供することができる。
【００３１】
また、本発明では、図２〜４に示すように棟側成形部２３及び軒側成形部２２を少なくとも一方に段部を介して設けると共に、段部の位置がモジュール設置部の幅に合わせて設定、成形されるようにしてもよい。尚、モジュール設置部の幅に合わせた段部の位置とは、モジュール設置部の幅を規制する（確保する）ための位置を指す。
【００３２】
図２に示す実施例は、外装材の全体幅は一定でも、段部位置を調整してモジュール設置部の幅を変更、設定する前記第１の付加態様である。
この態様を設計するには、段部（ここでは棟側段部２５）の位置以外の構成である棟側成形部２３や軒側成形部２２などは所定形状に設定しておき、段部（棟側段部２５）の位置を、使用する太陽エネルギー変換モジュール３Ｄ，３Ｅの設置部の幅に合わせることができるように、面板部２１の軒棟方向の幅を変更、設定するように外装材２Ｄ，２Ｅを設計する。
そして、面板部２１の幅は、図示しないが例えば上下一対の成形ロールを有するロールスタンドを所定の幅に移動させておき、ロールスタンドにおける各成形ロールを調整して段部の位置を調整するものである。
それ以外の構成は、前記図１の実施例とほぼ同様であるから、同一符号を図面に付して説明を省略する。
【００３３】
この図示実施例のように比較的幅寸法が近似した太陽エネルギー変換モジュール３Ｄ，３Ｅに対しては、外装材２の全体幅は一致しているが、それより遙かに大きい或いは小さいモジュールに対しては対応できないことからも明らかなように、外装材２の全体幅は概略的には調整されている。そして、棟側成形部２３、軒側成形部２２、軒側段部２４の形状構成、並びにシール材４の充填量に加え、外装材２の全体幅も一定として準備することができる。そのため、段部（図示実施例では棟側段部２５）以外の構成は、全て一定として準備するばかりでなく、多数枚成形して保管しておくことができる。
そして、棟側成形部２３における係合に寄与しない部分（調整代２３４）を幅Ｗ１分だけ幅狭にする（２３４→２３４’）ことにより、棟側段部２５の位置を棟側へ移すことができ、面板部２１の幅を太陽エネルギー変換モジュール３Ｄ，３Ｅの設置部の幅に調整することができる。
【００３４】
また、この態様において、モジュール設置部の幅に合わせた段部の位置とは、モジュール設置部の幅を規制する（確保する）ための位置を指すと説明したが、この説明は、図３に示す実施例のように一方のみ（図示実施例では棟側のみ）に設けるようにした場合にこそ適している。前記図２の実施例では、面板部２１の棟側及び軒側の両方に段部２４，２５を設けたので、この場合のモジュール設置部の幅に合わせた段部２４，２５の位置とは、モジュール設置部の幅に、段部２４，２５間の幅間隔を一致させるための位置を指すと説明した方が解りやすい。
【００３５】
図４に示す実施例は、面板部２１の幅は一定でも、段部位置を調整してモジュール設置部の幅を変更、設定する前記第２の付加態様である。尚、前記第１の付加態様と異なる点は、面板部２１自体の幅は変更しない点である。
この態様を設計するには、太陽エネルギー変換モジュール３を載置するに寄与しない面板部２１の軒端部分（２１１）を幅Ｗ２分だけ幅狭にすることにより、軒側段部２４の位置を軒側へ移すことができ、モジュール設置部の幅を調整（この場合は広く）するように外装材２を設計する。
【００３６】
また、前記図２の実施例では、棟側段部２５の位置によりモジュール設置部の幅（面板部２１）の幅を調整する例を示したが、図４に示す実施例では、軒側段部２４の位置によりモジュール設置部の幅を調整する例に相当する。
この実施例では、軒側段部２４と軒側成形部２２との間に幅Ｗ２分の調整代２１１を設けておくことにより、太陽エネルギー変換モジュール３が幅Ｗ２分の幅広になっても調整代２１１を幅狭にすることにより、軒側段部２４の位置を軒側へ移すことができ、異なる幅の太陽エネルギー変換モジュール３に対応することができる。即ち太陽エネルギー変換モジュール３を載置するに寄与しない面板部２１の軒端部分（２１１）を幅Ｗ２分だけ幅狭にすることにより、軒側段部２４の位置を軒側へ移すことができる，と言い換えることもできる。
【００３７】
また、前記図２の実施例では、棟側成形部２３における係合に寄与しない部分（調整代２３４）を幅Ｗ１分だけ幅狭にする（２３４→２３４’）ことにより、棟側段部２５の位置を棟側へ移すことができ、モジュール設置部の幅（面板部２１の幅）を調整（この場合は広く）することができる。これに対し、この図４の実施例では、太陽エネルギー変換モジュール３を載置するに寄与しない面板部２１の軒端部分（２１１）を幅Ｗ２分だけ幅狭にすることにより、軒側段部２４の位置を軒側へ移すことができ、モジュール設置部の幅を調整（この場合は広く）することができる。
このような調整はそれぞれを組み合わせて適用してもよいが、後者はモジュール設置部に寄与しない面積が屋根面を構成する手法であるから、モジュール設置部に寄与しない面積が屋根面を構成しない前者の方が太陽光発電を効率よく実施する上では好ましい。
【００３８】
以上本発明を図面の実施の形態に基づいて説明したが、本発明は前記実施の形態に限定されるものではなく、特許請求の範囲に記載の構成を変更しない限りどのようにでも実施することができる。
【産業上の利用可能性】
【００３９】
クリーンエネルギーを得る手段として建築物の屋根、壁等に幅広い利用が期待される。
【図面の簡単な説明】
【００４０】
【図１】（ａ）各サイズの太陽エネルギー変換モジュールに合わせて面板部幅を調整、成形した外装材一体型太陽エネルギー変換装置を敷設した外装構造の側面図、（ｂ）その接続部の拡大側面図である。
【図２】（ａ）各サイズの太陽エネルギー変換モジュールに合わせて段部の位置を調整、成形した外装材一体型太陽エネルギー変換装置を敷設した外装構造の側面図、（ｂ）それに用いた外装材一体型太陽エネルギー変換装置を示す側面図である。
【図３】棟側にのみ段部を設けた実施例を示す側面図である。
【図４】軒側段部の位置で幅を調整した実施例を示す側面図である。
【符号の説明】
【００４１】
１  外装材一体型太陽エネルギー変換装置
２  外装材
２１  面板部
２２  軒側成形部
２３  棟側成形部
２４  （軒側）段部
２５  （棟側）段部
２６  溝部
３  太陽エネルギー変換モジュール
４  シール材
【図１】
2005226362.tif 000003
【図２】
2005226362.tif 000004
【図３】
2005226362.tif 000005
【図４】
2005226362.tif 000006